【手続補正書】
【提出日】平成20年8月18日(2008.8.18)
【手続補正１】
【補正対象書類名】明細書
【補正対象項目名】特許請求の範囲
【補正方法】変更
【補正の内容】
【特許請求の範囲】
【請求項１】  折り折り曲げ線に沿った薄板材の精密折り曲げ方法であって、
弾性的且つ可塑的変形可能な材料の充実シートを選択するステップと、
前記薄板材を貫通し、前記折り曲げ線に沿って延びる方向に沿ってこれに近接して延びる方向に、軸線方向に間隔をあけ、長手方向に延び閉鎖端を有する複数のスリットを形成するステップであって、前記スリットの少なくとも１つの対の隣接する端の間に少なくとも１つの折り目を規定するステップと、
前記一対のスリットの各端に、前記折り曲げ線上に形成され前記スリットに連結された応力低減構造を形成するステップと、
前記折り曲げ線に実質的に沿って前記開口の間の前記折り目で、前記薄板板を折り曲げるステップと、を備え、
前記折り曲げるステップの間、前記スリットの反対側にある前記薄板材のソリッドエッジの相互係合によって、前記薄板材を前記折り目で弾性的に次いで可塑的に変形させる、
ことを特徴とする方法。
【請求項２】  前記スリットを形成するステップが、前記薄板材の厚さよりも薄い切り口の前記スリットを形成し、前記スリット及び前記応力低減構造を金属シートに形成することで達成される、
請求項１に記載の方法。
【請求項３】  前記折り曲げるステップに先立って、前記折り曲げるステップの後に前記薄板材に含まれるべき構成部品を前記薄板材に取り付ける、
ステップを含む請求項１に記載の方法。
【請求項４】  折り曲げ線に沿った精密折り曲げのために薄板材をスリット加工する方法であって、
前記薄板材を貫通し、前記折り曲げ線に沿って長手方向に延びる第１の細長いスリットを形成するステップであって、横方向に延びるスリットセグメントによって共通の横方向平面近傍で連結され、近接し横方向に離れ平行で長手方向に延びる一対の第１スリットセグメントを形成することによって達成されるステップと、
前記薄板材を貫通し、前記第１の細長いスリットと略長手方向に整列し長手方向の離れ、前記第１の細長いスリットとともに間に折り目を規定する第２の細長いスリットを形成するステップであって、横方向に延びるスリットセグメントによって共通の横方向平面近傍で連結され、近接し横方向に離れ平行で長手方向に延びる一対の第２スリットセグメントを形成することによって達成されるステップとを備えている、
ことを特徴とする方法。
【請求項５】  前記第１のスリットセグメントを形成するステップと前記第２のスリットセグメントを形成するステップは、前記第１スリットセグメント及び前記第２のスリットセグメントを前記折り曲げ線に近接して、且つ前記折り曲げ線の向かい合う側に形成することによって達成される、
請求項４に記載の方法。
【請求項６】  前記折り目を規定する前記第１の細長いスリットと前記第２の細長いスリットの近接する端にそれぞれ応力低減構造を形成するステップを含む、
請求項５に記載の方法。
【請求項７】  前記応力低減構造を形成するステップは、前記第１の細長いスリット及び前記第２の細長いスリットの幅寸法よりも大きい幅寸法を有する拡大開口を前記薄板材に形成することによって達成される、
請求項６に記載の方法。
【請求項８】  前記拡大開口を形成するステップは、前記折り曲げ線に沿い前記折り目に曲げを形成する形状を備えた前記開口を形成することによって達成される、
請求項７に記載の方法。
【請求項９】  前記拡大開口部を形成するステップは、略円形開口側を有する複数の開口を形成することによって達成され、
軸線方向に隣接する前記開口の円形開口側の間の最短距離が、実質的に前記折り曲げ線上に位置している、
請求項８に記載の方法。
【請求項１０】  前記応力低減構造を形成するステップは、前記第１の細長いスリット及び前記第２の細長いスリットの前記近接した端のそれぞれに連結された弧状スリットを形成することによって達成され、
前記弧状スリットは、前記折れ目から遠ざかるように凸状に曲がっている、
請求項６に記載の方法。
【請求項１１】  前記形成するステップは、前記第１の細長いスリット及び前記第２の細長いスリットを金属板に形成することによって達成され、
前記形成ステップの後、前記折り曲げ線に沿って前記金属板を折り曲げる、
請求項４に記載の方法。
【請求項１２】  前記第１の細長いスリット及び前記第２の細長いスリットを形成するステップは、前記横方向に延びるスリットセグメントを、その横方向寸法の大部分が前記折り曲げ線に対して直角になるように形成することによって達成される、
請求項４に記載の方法。
【請求項１３】  互いに長手方向に並び互いに長手方向に間隔をおき、前記第１の細長いスリット及び前記第２の細長いスリットと間隔をおいた複数の追加の細長いスリットを形成するステップをさらに含み、
前記複数の追加の細長いスリットを形成するステップは、前記追加の細長いスリットを、前記第１の細長いスリット及び前記第２の細長いスリットに関して規定したようなスリットセグメントで形成することによって達成される、
請求項４に記載の方法。
【請求項１４】  前記第１のスリットセグメントを形成するステップは、前記第１スリットセグメントの一方の側にタブを生成し、前記第１のスリットセグメントと反対の側に嵌合支持縁を生成し、
前記第１のスリットセグメントを形成するステップは、前記薄板材を折り曲げる間に前記タブの角が前記嵌合支持縁とスライド係合をするように前記第１のスリットセグメントを形成することによって達成される、
請求項５に記載の方法。
【請求項１５】  第１の細長いスリットは、前記細長いスリットセグメントの対の一方が前記折り曲げ線の一方側にタブを前記折り曲げ線の反対側に支持縁を有し、前記細長いスリットセグメントの対の他方が前記折り曲げ線の反対側にタブを前記折り曲げ線の一方側に支持縁を有するように形成される、
請求項１４に記載の方法。
【請求項１６】  前記第１の細長いスリットセグメントと前記第２の細長いスリットセグメントに沿って前記薄板材を折り曲げ、前記タブを前記折り曲げ線の反対側の支持縁とスライド係合させ、係合したタブと支持縁間の仮想支点に沿って前記折り目を折り曲げることができるようにするステップをさらに含む、
請求項１５に記載の方法。
【請求項１７】  前記折り曲げ線に沿った前記薄板材の折り曲げ先立って前記薄板材に構成部品を取り付ける、
請求項１１に記載の方法。
【請求項１８】  前記長手方向に延びる一対の第１スリットセグメントを形成するステップは、３以上の長手方向に延びる第１スリットセグメントを形成すること、長手方向に隣接する長手方向に延びる第１スリットセグメント対を、横方向に延びる複数のスリットセグメントによって複数の共通平面で連結することによって達成される、
請求項４に記載の方法。
【請求項１９】  折り曲げ線に沿った精密折り曲げ用の薄板材であって、
薄板材は、弾性的且つ可塑的変形可能な材料の充実シートであって、間隔をおき縦に並んで前記折り曲げ線に沿って略整列した閉鎖端を備えた複数のスリットを有し、該スリットは、前記シートの前記スリットの位置での厚さ寸法よりも少ない幅寸法の切り口によって形成されている充実シートと、
前記薄板材内で前記スリットの端部に配置され、該スリットへ開いている応力低減構造と、を備えている、
ことを特徴とする薄板材。
【請求項２０】  前記応力低減構造は、前記スリットの横方向の幅寸法より大きい横方向の幅寸法を有し、間に折り目を規定する拡大開口によって構成されている、
請求項１９に記載の薄板材。
【請求項２１】  前記応力低減構造は、両端が拡大開口で終わる横方向に延びるスリットである、
請求項１９に記載の薄板材。
【請求項２２】  折り曲げ線に沿って薄板材を精密に折り曲げる方法であって、
前記折り曲げ線に沿いこれに近接する方向で軸線方向に間隔をおき前記薄板材を貫通する複数の長手方向スリットを形成するステップであって、少なくとも一対の前記スリットの隣接する端の間に折り目を規定するステップと、
前記一対の長手方向スリットの前記隣接する端の各々に弧状スリットを形成するステップであって、前記弧状スリットは、前記長手方向スリットと連結され、且つ各々の前記スリットに沿って戻り方向で湾曲しているステップと、
前記弧状スリットの反対側の端に拡大開口を形成するステップと、
前記折り曲げ線に実質的に沿って、且つ前記長手方向スリットの間の折り目において前記薄板材を折り曲げるステップとを備えている、
ことを特徴とする方法。
【請求項２３】  折り曲げ線に沿って薄板材を精密に折り曲げる方法であって、
前記折り曲げ線に近接しこれに沿って延びる方向で軸線方向に間隔をおき前記薄板材を貫通し長手方向に延びる複数のスリットを形成するステップであって、一対の前記スリットの隣接する端の間に少なくとも一つの折り目を規定するステップと、
前記一対のスリットの隣接する端の各々にＤ形応力低減拡大開口を形成するステップとを含み、この開口は、前記折り目を規定する凸状側を有し、前記折り曲げ線上に形成され、且つ前記スリットに連結され、
前記折り曲げ線に実質的に沿って、且つ前記長手方向スリットの間の折り目で前記薄板材を折り曲げるステップとを含む、
ことを特徴とする方法。
【請求項２４】  折り曲げ線に沿って薄板材を精密に折り曲げる方法であって、
前記折り曲げ線に近接しこれに沿って延びる方向で軸線方向に間隔をおき前記薄板材を貫通し長手方向に延びる複数のスリットを形成するステップを備え、前記スリットの少なくとも一対の隣接する端の間に少なくとも１つの折り目を規定し、前記スリットを形成するステップが、前記折り曲げ線と略平行な対向する側に近接して且つ該側に位置決めされた長手方向に延びるスリットセグメントの第１の対を有する少なくとも１のスリットを形成することによって達成され、前記長手方向に延びるスリットセグメントが、長手方向に延びるスリットセグメントによって連結される一対の長手方向に近接した端を有し、前記長手方向に延びるスリットセグメントの一つは、反対側で終了し、前記方法はさらに、
前記スリットセグメントの前記向かい合う端に応力低減拡大開口を形成するステップを含み、前記開口は、前記折り曲げ線上に形成され、前記スリットセグメントに連結され、
前記折り曲げ線に実質的に沿って、且つ前記折り目で前記薄板材を折り折り曲げるステップを含む、
ことを特徴とする方法。
【請求項２５】  前記スリットを形成するステップは、前記少なくとも一つのスリットに軸線方向に隣接し、前記折り曲げ線に沿ったスリットを形成することによって達成され、前記軸線方向に隣接するスリットは、前記少なくとも一つのスリットに関して規定されたように、横方向に延びるスリットセグメントによって連結される長手方向に延びる一対のスリットセグメントを有するように形成され、さらに前記軸線方向に隣接するスリットの端に拡大開口を形成して達成され、この拡大開口は、前記少なくとも一つのスリットの向かい合う側で前記開口に近接し且つ間隔をおき、開口の間に前記折り目を規定するようになっている、
請求項２４に記載の方法。
【請求項２６】  折り曲げ線に沿って薄板材を精密に折り曲げる方法であって、
複数の長手方向スリットを形成するステップを含み、この長手方向スリットは、薄い切り口を有し、前記薄板材を貫通し、前記折り曲げ線に沿って延びこれに近接した方向で軸線方向に間隔をおき、一対の前記スリットの隣接する端の間に少なくとも一つの折り目を規定し、
前記一対の長手方向スリットの前記隣接する端の各々に弧状の応力減少スリット構造を形成するステップを含み、前記弧状スリットは、前記長手方向スリットに連結され、前記折り目から離れる方向かつ前記長手方向スリットに沿って戻るように湾曲し、
前記折り曲げ線に実質的に沿って、前記開口の間の前記折り目で前記薄板材を折り曲げるステップとを含む、
ことを特徴とする方法。
【請求項２７】  折り曲げ線に沿った精密な折り曲げのための薄板材であって、
複数の細長いスリットを有する薄板材であって、該スリットが、間隔をおき、縦に並んで、前記折り曲げ線に沿って実質的に整列している薄板材と、
前記スリットの端に位置決めされ、該スリットに通じるハット形応力低減開口を備え、該ハット形開口は、前記スリットの横方向寸法よりも大きい横方向寸法を有し、さらにハット形開口の間には折り目が規定され、前記ハット形開口は、弧状の凸形状の側を有し、前記折り目を規定する、
ことを特徴とする薄板材。
【請求項２８】  折り曲げ線に沿った精密折り曲げ用の薄板材であって、
複数の細長いスリットを有する薄板材であって、前記スリットは、間隔をおき、縦に並んで、前記折り曲げ線に沿って実質的に整列し、間に折り目を規定している薄板材と、
前記スリットの端に位置決めされ、該スリットに通じる横方向に延び前記薄板材に設けられた応力低減スリットとを備え、前記横方向に延びるスリットは、両側の拡大開口で終了し、該拡大開口は、前記横方向に延びるスリットの切り口の幅よりも大きい開口幅を有する、
ことを特徴とする薄板材。
【請求項２９】  折り曲げ線に沿った精密な折り曲げのための薄板材であって、
複数の細長いスリットを有する薄板材であって、前記スリットが、間隔をおき縦に並んで、前記折り曲げ線に沿って実質的に整列し、前記スリットの各々は、前記折り曲げ線に対し横方向に間隔をおき、少なくとも一つの横方向に延びるスリットセグメントによって両端の間で連結され横方向に離れた長手方向に延びる複数のスリットセグメントと共に形成されている薄板材と、
前記薄板材に形成された応力低減開口とを備え、該応力低減開口は、前記スリットの両端に位置決めされ、且つ前記スリットセグメントに通じている、
ことを特徴とする薄板材。
【請求項３０】  前記長手方向に延びるスリットセグメントの長手方向に隣接するものは、前記折り曲げ線の反対側で互いに平行であり、且つ前記折り曲げ線に近接している、
請求項２９に記載の薄板材。
【請求項３１】  前記薄板材は、前記折り曲げ線に実質的に沿って折り曲げられる、
請求項３０に記載の薄板材。
【請求項３２】  前記薄板材の前記折り曲げ線以外の位置に湾曲が形成されている、
請求項２９に記載の薄板材。
【請求項３３】  弾性的且つ可塑的変形可能な充実薄板材にスリットを形成して折り曲げる方法であって、
前記薄板材を貫通する２つの細長いスリットを形成するステップであって、該スリットは、所望の折り曲げ線の両側に横方向のオフセットされ、他のスリットに対して前記折り曲げ線に沿って長手方向に変位され、前記スリットは、切り口を有し、この切り口の幅は、折り曲げている間、前記薄板材のソリッドエッジが前記スリットの両側で相互係合するように寸法決めされているステップと、
前記折り曲げ線に整列した仮想の支点付近で前記薄板材を折り曲げ、前記薄板材の前記折り曲げ線に沿って弾性的且つ可塑的に変形させ、前記ソリッドエッジを相互係合させるステップを備える、
ことを特徴とする方法。
【請求項３４】  前記折り曲げるステップの後、前記折り曲げ線に沿った溶接、前記折り曲げ線に沿ったろう付け、及び折り曲げ線をエポキシ樹脂で満たす、少なくとも一つで前記折り曲げを補強する、
請求項３３に記載の方法。